(57)【特許請求の範囲】
【請求項１】
モジュールと、
このモジュール上に固定されたパネルと、
前記モジュールの周部に固定された平面視リング形のリング部材であって、この部材の複数個所に上向きの係合凸部が形成されていて、この係合凸部が前記リング部材の外周面に寄って配置された接触部位を有している前記リング部材と、
前記パネルを覆って配設された表示板であって、この表示板の周面に開放された複数の凸部収容溝、及びこの収容溝を区画しかつ弾性変形された状態で前記接触部位に密接されて前記係合凸部を前記リング部材の径方向と直交する方向に沿って挟む挟み部を複数有しており、前記各凸部収容溝を前記各係合凸部に夫々収めて前記リング部材に取付けられた前記表示板と、
を具備することを特徴とする時計。
【請求項２】
前記係合凸部を挟んだ前記挟み部間の距離が前記表示板の周面側ほど狭くなるように前記凸部収容溝が形成されていることを特徴とする請求項１に記載の時計。
【請求項３】
前記表示板の周面に開放された複数の逃げ溝を前記表示板が更に有しており、この逃げ溝と前記凸部収容溝との間が前記挟み部であることを特徴とする請求項１又は２に記載の時計。
【請求項４】
前記係合凸部が平面視略四角形でかつ中実であることを特徴とする請求項１から３のうちのいずれか一項に記載の時計。
【請求項５】
前記係合凸部が、平面視略四角形でかつ上端に開放する内空部を有していることを特徴とする請求項１から３のうちのいずれか一項に記載の時計。
【請求項６】
前記係合凸部が、前記凸部収容溝の溝底面に対向された壁部と、この壁部の幅方向両端部から夫々前記凸部収容溝の開放端に向けて折れ曲がるように連続した他の壁部とを有していて、これら他の壁部に前記接触部位が設けられていることを特徴とする請求項１から３のうちのいずれか一項に記載の時計。
【請求項７】
前記係合凸部が、前記凸部収容溝の溝底面と平行で、かつ、前記リング部材の径方向に弾性変形が可能な板状壁で形成されていることを特徴とする請求項１から３のうちのいずれか一項に記載の時計。
【請求項８】
前記係合凸部が前記凸部収容溝の溝底面に接していることを特徴とする請求項１から６のうちのいずれか一項に記載の時計。
【請求項９】
前記凸部収容溝の溝底面と前記係合凸部との間に設けられて、前記リング部材の径方向に弾性変形が可能で、かつ、前記凸部収容溝の溝底面に接する上向きの規制凸部を、前記リング部材が更に備えていることを特徴とする請求項７に記載の時計。
【請求項１０】
前記パネルが光電変換により発電する太陽電池パネルであることを特徴とする請求項１から９のうちのいずれか一項に記載の時計。
【請求項１１】
前記パネルが通電された状態で発光する発光パネルであることを特徴とする請求項１から９のうちのいずれか一項に記載の時計。
【発明の詳細な説明】
【技術分野】
【０００１】
本発明は、時刻その他の表示をさせるモジュールに、発電用又は発光用のパネルが取付けられるとともに、このパネルが表示板で覆われた腕時計等の時計に係り、特に、表示板を取付ける構成を改善した時計に関する。
【背景技術】
【０００２】
モジュール上に、ソーラーセル又はエレクトロルミネッセンスからなるパネルと、これを覆った透光性の表示板が配設された時計が、従来技術として知られている（例えば、特許文献１参照。）。
【０００３】
この従来技術で、樹脂成形体からなる補助リングは、その外周部上面の複数個所に夫々一対の円柱突部を有しているとともに、下面に突起を有している。この補助リングの突起をモジュールに係合させて、このモジュールに補助リングが固定されている。これとともに、表示板は、透明なアクリル樹脂やポリカーボネイト樹脂等の合成樹脂で薄板状に形成されていて、その周部に複数の切欠を有している。これらの切欠をモジュールの円柱突部に係合させることで、表示板が補助リングに固定されている。
【０００４】
詳しくは、一対の円柱突部は、相互間に隙間を有していて、その隙間に向かって弾性変形が可能に形成されている。表示板の切欠は、その内側に配置された一対の円柱突部を互に近付く方向に弾性変形させてこれらに係合されている。それにより、表示板をその横ずれや回転が防止された状態に固定することが可能である。
【先行技術文献】
【特許文献】
【０００５】
【特許文献１】特許第４３９８５５５号公報（段落0016-0044、図１−図６）
【発明の概要】
【発明が解決しようとする課題】
【０００６】
従来技術に係る時計は、補助リングの外周部上面を起点にした円柱突部の長さが短いので、この円柱突部の弾性変形は容易ではなく難しい。言い換えれば、円柱突部のばね性が極めて低い。このため、円柱突部を弾性変形させながらこれに切欠を係合させて、表示板を補助リングに取付ける作業が面倒である。
【０００７】
時計の組立において補助リングへの表示板の装着が不良である場合等、この表示板を外した上で、再度取付ける作業が行われ、或いは新たな表示板と交換する作業が行われる。この作業は表示板の組み直しと称されている。
【０００８】
この組み直し作業では、始めに、装着不良の表示板をピンセットのような工具を用いてモジュール上から外すことが必要である。この場合、既述のように円柱凸部の弾性変形が難しいので、当然に装着不良の表示板を外す作業も面倒である。
【０００９】
このように従来の時計は、表示板を補助リングに容易に着脱することが難しい。更に、表示板の取付けに伴って、長さが短く弾性変形が容易ではない円柱突部は、その弾性限界を超えてヘたり易い。こうした事態に至った場合、表示板の組み直しを行っても、表示板を適正に取付けることが困難となり、組み直しに伴う表示板の取付け不良を生じる可能性が高い。
【００１０】
即ち、従来技術は、補助リングに対する表示板の取付け作業及び表示板の組み直し作業が面倒であるとともに、表示板の組み直しに伴う表示板の取付け不良が起きる可能性が高い、という課題がある。
【課題を解決するための手段】
【００１１】
前記課題を解決するために、本発明は、モジュールと、このモジュール上に固定されたパネルと、前記モジュールの周部に固定された平面視リング形のリング部材であって、この部材の複数個所に上向きの係合凸部が形成されていて、この係合凸部が前記リング部材の外周面に寄って配置された接触部位を有している前記リング部材と、前記パネルを覆って配設された表示板であって、この表示板の周面に開放された複数の凸部収容溝、及びこの収容溝を区画しかつ弾性変形された状態で前記接触部位に密接されて前記係合凸部を前記リング部材の径方向と直交する方向に沿って挟む挟み部を複数有しており、前記各凸部収容溝を前記各係合凸部に夫々収めて前記リング部材に取付けられた前記表示板と、を具備することを特徴としている。
【００１２】
本発明で、モジュールとは、アナログ式の時計として実施する場合は、複数の時刻表示針を駆動するムーブメントを指しており、デジタル式の時計として実施する場合は、時刻等を示すディスプレイを駆動する電子回路を指している。本発明で、パネルとは、太陽電池パネル又は発光パネル等を指している。
【００１３】
本発明で、挟み部で挟まれる係合凸部は、単一の凸部であっても、凸部収容溝の溝底面と平行に並べられた一対の凸部であってもよく、前者の単一の係合凸部の場合はその幅方向両側部に接触部位を有し、又、後者の一対の係合凸部の場合は、夫々が単一の接触部位を有して構成される。これとともに、接触部位は係合凸部の周面の一部であっても、又はこの周面から突出されたビードであっても差し支えない。更に、本発明で、接触部位がリング部材の外周面に寄って配置されたとは、リング部材の外周面に可能な限り近い位置、言い換えれば、凸部収容溝の溝底面から最も遠ざかるように接触部位が設けられていることを指している。
【００１４】
本発明で、凸部収容溝は、その溝幅に変化がない構成であっても差し支えないが、後述する好ましい形態のように表示板の外周側ほど溝幅が狭くなるように形成するとよい。本発明では、後述する好ましい形態のように表示板に逃げ溝を設けることは妨げないが、この逃げ溝を省略して実施することも可能である。
【００１５】
又、本発明で、表示板とは、アナログ式の時計として実施する場合、透明な文字板を指しており、デジタル式の時計として実施する場合、時刻等を示すディスプレイの所望の部位に対向する窓を有し、この窓以外の部位がディスプレイを覆うカバー板（なお、この板は見切り板と通称されている。）を指している。
【００１６】
本発明では、表示板の凸部収容溝にリング部材の係合凸部が夫々収められているとともに、係合凸部の接触部位に弾性変形された状態で密接された表示板の挟み部により、係合凸部をリング部材の径方向と直交する方向に沿って挟んで、表示板がリング部材に取付けられている。このように表示板の挟み部を弾性変形させて表示板をリング部材に取付けたので、係合凸部が無理に弾性変形されることを抑制できる。
【００１７】
表示板の板厚は係合凸部の高さ寸法と略同じ程度の薄いので、表示板の弾性変形は係合凸部より容易である。これとともに、表示板の挟み部が密接する接触部位はリング部材の外周面側に寄せて係合凸部に設けられているので、挟み部の根元から接触部位への密接箇所までの長さを長く確保できる。これにより、係合凸部が無理に変形されることを抑制しつつ、主として挟み部を容易に弾性変形させてリング部材に表示板を着脱することができる。
【００１８】
したがって、本発明では、リング部材に対する表示板の取付け作業及び表示板の組み直し作業が容易であるとともに、表示板の組み直しに伴う表示板の取付け不良を抑制可能である。
【００１９】
本発明の好ましい形態では、前記係合凸部を挟んだ前記挟み部間の距離が前記表示板の周面側ほど狭くなるように前記凸部収容溝が形成されていることを特徴としている。この好ましい形態の発明で、挟み部間の距離が表示板の周面側ほど狭くなるようにするために、係合凸部を挟んだ挟み部のうちの少なくとも一方の凸部収容溝に臨んだ面を傾ければよい。
【００２０】
この好ましい形態の発明では、リング部材に取付けられた表示板がその径方向に動こうとしても、その移動方向と反対側に位置されている係合凸部とこれが収められている凸部収容溝において、係合凸部がストッパとして機能して、この係合凸部とこれを挟んだ挟み部との密接が強められる。これとともに、前記ストッパ機能があることで、挟み部が係合凸部の接触部位に密接する力が小さくても支障がないため、表示板をリング部材に着脱する際における挟み部の弾性変形がより容易となる結果、表示板の着脱作業をより容易に行うことが可能である、という利点を更に有する。しかも、凸部収容溝をその開放端側ほど狭める上で、係合凸部を挟んだ挟み部を夫々傾むけた場合、これら挟み部が長くなることに伴い挟み部の弾性変形がより容易となるので、表示板の着脱操作がより容易になる点で更に好ましい。
【００２１】
本発明の好ましい形態では、前記表示板の周面に開放された複数の逃げ溝を前記表示板が更に有しており、この逃げ溝と前記凸部収容溝との間が前記挟み部であることを特徴としている。この好ましい形態の発明で、逃げ溝の深さは、凸部収容溝の深さと略同じであっても、それより短くても差し支えない。
【００２２】
この好ましい形態の発明では、表示板が着脱される際に、挟み部が逃げ溝側に逃げながら弾性変形するので、挟み部の弾性変形がより容易となり、その結果、表示板の着脱作業をより容易に行うことが可能である、という利点を更に有する。更に、挟み部の弾性変形がより容易であることにより、係合凸部を挟んだ挟み部によって、文字板にこれをうねるように変形させる程の過大な反力が与えられることを抑制できる、という利点を更に有する。
【００２３】
本発明の好ましい形態では、前記係合凸部が平面視略四角形でかつ中実であることを特徴としている。
この好ましい発明では、係合凸部が中実であるから、表示板が着脱される際に係合凸部が変形し難いことに伴い、表示板の組み直しに伴う表示板の取付け不良を生じることを抑制可能である、という利点を更に有する。
【００２４】
本発明の好ましい形態では、前記係合凸部が、平面視略四角形でかつ上端に開放する内空部を有していることを特徴としている。
この好ましい形態の発明では、表示板が着脱される際、挟み部の弾性変形に加えて、内空部を有した係合凸部が撓むことが可能であるに伴い、表示板の着脱作業をより容易に行うことが可能である、という利点を更に有する。
【００２５】
本発明の好ましい形態では、前記係合凸部が、前記凸部収容溝の溝底面に対向された壁部と、この壁部の幅方向両端部から夫々前記凸部収容溝の開放端に向けて折れ曲がるように連続した他の壁部とを有していて、これら他の壁部に前記接触部位が設けられていることを特徴としている。
この好ましい形態の発明では、係合凸部の接触部位が設けられた他の壁部が、挟み部の弾性変形に加えて、挟み部の挟み方向に撓むことが可能であるに伴い、表示板の着脱作業をより容易に行うことが可能である、という利点を更に有する。
【００２６】
本発明の好ましい形態では、前記係合凸部が、前記凸部収容溝の溝底面と平行で、かつ、前記リング部材の径方向に弾性変形が可能な板状壁で形成されていることを特徴としている。
この好ましい形態の発明では、表示板が着脱される際、挟み部の弾性変形に加えて、係合凸部がリング部材の径方向に弾性変形することが可能であるので、表示板の着脱作業をより容易に行うことが可能である。これとともに、係合凸部の構成が単純であるので、リング部材の成形型の型費を低減することが可能である、という利点を更に有する。
【００２７】
本発明の好ましい形態では、前記係合凸部が前記凸部収容溝の溝底面に接していることを特徴としている。
この好ましい形態の発明では、係合凸部と凸部収容溝の溝底面との接触により、リング部材に取付けられた表示板がその径方向に移動しようとすることを、係合凸部をストッパとして抑制し、表示板をがたつかないように保持することが可能である、という利点を更に有する。
【００２８】
本発明の好ましい形態では、前記凸部収容溝の溝底面と前記係合凸部との間に設けられて、前記リング部材の径方向に弾性変形が可能で、かつ、前記凸部収容溝の溝底面に接する上向きの規制凸部を、前記リング部材が更に備えていることを特徴としている。
この好ましい形態の発明では、リング部材に設けた上向きの規制凸部と凸部収容溝の溝底面との接触により、リング部材に取付けられた表示板がその径方向に移動しようとすることを、規制凸部をストッパとして抑制し、表示板をがたつかないように保持することが可能である、という利点を更に有する。
【００２９】
本発明の好ましい形態では、前記パネルが光電変換により発電する太陽電池パネルであることを特徴としている。
この好ましい形態の発明では、例えば電力で駆動されるモジュール等に供給される電力を、表示板を透過した光を受ける太陽電池パネルで発電することができる、という利点を更に有する。
【００３０】
本発明の好ましい形態では、前記パネルが通電された状態で発光する発光パネルであることを特徴としている。
この好ましい形態の発明では、発光パネルがそれへの通電で発光して、表示板に対するバックライト照明ができるので、時刻等の表示の視認性をより向上できる、という利点を更に有する。
【発明の効果】
【００３１】
本発明の時計によれば、リング部材に対する表示板の取付け作業及び表示板の組み直し作業が容易であるとともに、表示板の組み直しに伴う表示板の取付け不良を抑制可能である、という効果を期待できる。
【図面の簡単な説明】
【００３２】
【図１】本発明の第１実施形態に係る腕時計の一部を示す断面図である。
【図２】図１の腕時計が備えたムーブメント上に配設された太陽電池パネルと文字板との関係を示した略平面図である。
【図３】図２中Ｆ３部を拡大して示す平面図である。
【図４】図２中矢印Ｆ４線方向から見たＦ３部の側面図である。
【図５】図４中Ｆ５−Ｆ５線に沿って示す断面図である。
【図６】図１の腕時計が備えた文字板を示す平面図である。
【図７】本発明の第２実施形態に係る腕時計の一部を示す前記図３相当の平面図である。
【図８】図７中Ｆ８−Ｆ８線に沿って示す断面図である。
【図９】本発明の第３実施形態に係る腕時計の一部を示す前記図３相当の平面図である。
【図１０】図９中矢印Ｆ１０線方向から見た側面図である。
【図１１】本発明の第４実施形態に係る腕時計の一部を示す前記図３相当の平面図である。
【図１２】図１１中矢印Ｆ１２線方向から見た側面図である。
【発明を実施するための形態】
【００３３】
以下、本発明の第１の実施の形態について、図１〜図６を参照して詳細に説明する。
図１中符号１は、時計例えば携帯時計具体的には腕時計を示している。この腕時計１は、時計外装組立２と、モジュール例えばムーブメント１１と、パネル例えば太陽電池パネル１５と、リング部材２１と、表示板例えば文字板３１を具備している。
【００３４】
時計外装組立２は、胴４及び裏蓋５を有した金属製又は合成樹脂製の外装部材６と、カバーガラス７を備えている。裏蓋５は胴４にねじ込まれて連結されている。なお、外装部材６は、胴４と裏蓋５が一体に形成されたワンピース型の構成であってもよい。カバーガラス７は、胴４に形成されたガラス支持部４ａの内側に液密に装着されている。
【００３５】
外装部材６は見切り４ｂを有している。図１に示された見切り４ｂは、胴４の内周に一体に形成されたものであるが、胴４と別体に成形されたリング形の部材であっても良い。見切り４ｂは斜面４ｃを有し、この斜面４ｃはカバーガラス７の周部裏面に対向している。
【００３６】
ムーブメント１１は、後述の太陽電池パネル１５が発電する電力で駆動されるものであって、図示しないが前記電力を蓄積するための二次電池或いはキャパシタ等を備えている。ムーブメント１１は平面視円形である。このムーブメント１１は時計外装組立２内に後述のリング部材２１及び文字板３１等とともに組込まれている。
【００３７】
このムーブメント１１は係合部１２を有している。係合部１２は、ムーブメント１１の周部でかつ上面１１ａ側に設けられて、例えばムーブメント１１の周方向に連続する環状凸部の上面部位で形成されている。図１に示すように係合部１２は、ムーブメント１１の上面１１ａに対してムーブメント１１の裏側（下側）方向に若干後退している。
【００３８】
太陽電池パネル１５は、図示しない基板に、光電変換により発電する発電素子としてソーラーセル（図示しない）が搭載されたパネルである。ソーラーセルは、結晶系であっても、アモルファス系であっても差し支えない。この太陽電池パネル１５は、ムーブメント１１の直径よりやや小径であり、接着部材１６を用いてムーブメント１１の上面１１ａに固定されている。接着部材１６として両面が粘着性を有する両面接着テープを好適に使用できる。
【００３９】
リング部材２１は、合成樹脂の例えばジュラコンの一体成形品である。リング部材２１は、平面視リング形をなしていて、その内径は太陽電池パネル１５の直径よりやや大きく、かつ、外径はムーブメント１１の直径より大きい。リング部材２１はその内面及び裏面（下面）に開放された係合溝２２を有している。この係合溝２２はリング部材２１の周方向に連続して環状に形成されている。
【００４０】
更に、リング部材２１は、その上面２１ａに凹み２３及びこれと同数の係合凸部２５を複数個所に有しているとともに、裏面複数個所にフック部２９（図１に一個のみ図示）を有している。
【００４１】
凹み２３は図２に示すようにリング部材２１の外周部の２箇所に例えば１８０度離れて設けられている。尚、凹み２３は１２０度ごと三箇所に設けてもよく、或いは９０度ごと四箇所に設けてもよい。各凹み２３は、リング部材２１の上面２１ａ及び外周面に夫々開放されているとともに、図４及び図５に示す第１の凹み部位２３ａ〜第４の凹み部位２３ｄを有している。
【００４２】
第１の凹み部位２３ａと第２の凹み部位２３ｂは平行である。これら第１の凹み部位２３ａと第２の凹み部位２３ｂの一端はいずれもリング部材２１の外周面に開放されている。第３の凹み部位２３ｃは、第１の凹み部位２３ａと第２の凹み部位２３ｂの他端間にわたって設けられている。第４の凹み部位２３ｄは、第１の凹み部位２３ａと第２の凹み部位２３ｂの一端部間にわたって設けられていて、その長手方向全体にわたってリング部材２１の外周面に開放されている。したがって、第１の凹み部位２３ａ〜第４の凹み部位２３ｄは例えば略四角環状をなして連続されている。
【００４３】
係合凸部２５は、各凹み２３の底から一体に上向きに突出されている。そのため、係合凸部２５の根元部全体がリング部材２１の上面２１ａより下側に位置されていて、この根元部は、既述のように環状に連続した第１の凹み部位２３ａ〜第４の凹み部位２３ｄで囲まれている。
【００４４】
各係合凸部２５は、その平面視形状が略四角形、好ましくは図３に示すように略長四角形であるとともに、上端に開放する内空部２６を有している。係合凸部２５は、その長辺をなした側面がリング部材２１の径方向と直交するように設けられている。後述する凸部収容溝３２の開放端に近い方の二つ角部、言い換えれば、リング部材２１の外周に近い係合凸部２５の二つの角部は、夫々接触部位２５ａ（図３参照）として用いられている。
【００４５】
図４に示すように第１の凹み部位２３ａ〜第３の凹み部位２３ｃは半円状に凹んで形成されており、図５に示すように第４の凹み部位２３ｄは１／４の円弧状をなすように凹んで形成されている。そのため、係合凸部２５の根元部の側面と凹み２３とは、互いの間に角を形成することなく連続されていて、それによって、係合凸部２５は凹み２３の底に向けて次第に太く形成されている。
【００４６】
図３及び図５に示すように係合凸部２５は、リング部材２１の外周から最も遠く位置された側面に、例えば２本のビード２７を有している。ビード２７は、その平面視形状が円弧状の凸部からなる。ビード２７は係合凸部２５の中心軸線（図示しない）が延びる方向と平行に延びている。図５に示すようにビード２７の上端は係合凸部２５の上端より若干下がっており、ビード２７の下端は係合凸部２５の根元部に達している。
【００４７】
図１に示すようにリング部材２１は、そのフック部２９をムーブメント１１の前記環状凸部の下面１３に引掛けるとともに、係合溝２２を係合部１２の上面に係合することによって、ムーブメント１１に取付けられている。以上の取付けによって、１８０度離れた凹み２３が、図２に例示したように１２時−６時の方向に配置されるとともに、各係合凸部２５を除いたリング部材２１の上面２１ａが、太陽電池パネル１５の上面よりやや高く位置されるようになっている(図１参照)。なお、一対の凹み２３の配置は、１２時−６時の方向に制約されず、９時−３時の方向、或いはその他の方向に配置することも可能である。
【００４８】
文字板３１は、透明なアクリル樹脂やポリカーボネイト樹脂等の透光性で、かつ、リング部材２１を成形した合成樹脂材料より硬い合成樹脂で薄板状に成形されている。文字板３１は略円形でリング部材２１の外径よりやや小径である。この文字板３１には、図示しないが目盛、数字、模様等の表示が設けられている。
【００４９】
文字板３１はその周部に複数の凸部収容溝３２を有している。これらの凸部収容溝３２は、文字板３１をその周面から切欠くように形成されていて、文字板３１の周面３１ａに開放されている。この開放された端を開放端と以下称する。各凸部収容溝３２は、係合凸部２５と同数でかつこれら係合凸部２５の配置に適合して設けられている。したがって、図６に示すように二つの凸部収容溝３２が文字板３１の周方向に１８０度離れて設けられている。
【００５０】
これら凸部収容溝３２の幅方向両側は、図３に示すように挟み部３３で区画されている。挟み部３３は弾性変形が可能である。凸部収容溝３２の幅つまり挟み部３３間の距離は、凸部収容溝３２の開口端側、言い換えれば、文字板３１の周面３１ａ側ほど狭くなるように形成されている。そのために、第１実施形態の場合、文字板３１の周面３１ａ側ほど挟み部３３同士が近付くようにこれら挟み部３３が傾斜されている。尚、こうした傾斜は片方の挟み部３３のみに設けてもよい。凸部収容溝３２を仕切った挟み部３３の先端部間の距離、言い換えれば、凸部収容溝３２の最小幅である開口端部の幅は、係合凸部２５の二つの接触部位２５ａの離間距離より若干狭い。
【００５１】
文字板３１は、太陽電池パネル１５を覆ってリング部材２１に取付けられている。この取付けは、ムーブメント１１に装着されているリング部材２１に対して、係合凸部２５と文字板３１の凸部収容溝３２を位置合わせした状態で、リング部材２１の上方から文字板３１を下方に押圧することで実施できる。
【００５２】
それにより、挟み部３３が主として文字板３１の厚み方向に撓み変形（弾性変形)を起こしながら係合凸部２５に凸部収容溝３２が嵌合される。即ち、係合凸部２５が凸部収容溝３２に対して相対的に軽圧入されるに伴い、図３等に示すように挟み部３３が係合凸部２５の接触部位２５ａに密接されて、これら挟み部３３が係合凸部２５をリング部材２１の径方向と直交する方向に沿った挟んだ状態となる。これとともに、ビード２７が凸部収容溝３２の溝底面３２ａに接触される。
【００５３】
こうした状態が維持されたままで、文字板３１の裏面がリング部材２１の上面２１ａに当たることで、前記押圧操作が阻止される。これにより、各係合凸部２５が夫々に対応された各凸部収容溝３２に納められて、文字板３１が太陽電池パネル１５を覆ってリング部材２１に取付けられる。
【００５４】
この場合、挟み部３３が密接する接触部位２５ａは、リング部材２１の外周面側に寄せて係合凸部２５に設けられているので、挟み部３３の根元から接触部位２５ａへの密接箇所までの長さが長く確保されている。しかも、凸部収容溝３２の幅がこの溝の開放端に向けて次第に狭くなるように挟み部３３が夫々それらの先端側ほど互に近付くように傾けられているので、これら挟み部３３の根元から接触部位２５ａまでの長さを、凸部収容溝３２の幅に変化がない構成に比較して、より長く確保できる。
【００５５】
これにより、以上説明した文字板３１の取付け操作において、主として挟み部３３を文字板３１の厚み方向に容易に弾性変形させてリング部材２１に文字板３１を取付けることができ、その際、係合凸部２５がその根元部を支点に無理に変形されることがない。
【００５６】
しかも、係合凸部２５はその上端に開放する内空部２６を有しているので、文字板３１が取付けられる際において、係合凸部２５に大きい力が作用した場合、この係合凸部２５は縮径するように多少撓むことが可能である。このため、係合凸部２５をその根元から曲げられないようにしながら、リング部材２１への文字板３１の取付け作業をより容易に行うことが可能である。
【００５７】
又、係合凸部２５の根元部はそれより上側部位よりも太く形成されているが、この根元部はリング部材２１の上面２１ａより下側に位置されている。そのため、既述の文字板３１の取付けにおいて、文字板３１の裏面がリング部材２１の上面２１ａに当たることを、係合凸部２５の根元部が妨げることがない。
【００５８】
図３及び図６等に示すように文字板３１は、その周面に開放された複数の逃げ溝３４を有している。これら逃げ溝３４と凸部収容溝３２との間は挟み部３３である。各逃げ溝３４は文字板３１の周部を例えばＶ字状に切欠くように形成されていて、その深さは例えば凸部収容溝３２の深さと略同じである。凸部収容溝３２の奥の角部と逃げ溝３４の奥部との間は挟み部３３の根元部となっており、この根元部を支点に挟み部３３は逃げ溝３４の幅を狭める方向に弾性変形が可能である。
【００５９】
このため、文字板３１が取付けられる際に、挟み部３３は逃げ溝３４側に逃げながら弾性変形することも可能であるので、挟み部３３の弾性変形がより容易となる。この結果、係合凸部２５の変形を抑制しつつ、リング部材２１に対する文字板３１の取付け作業をより容易に行うことが可能である。
以上の取付けにより、文字板３１はがたつかないように保持される。
【００６０】
即ち、文字板３１の挟み部３３がリング部材２１の係合凸部２５に弾性的に密接されていることで、文字板３１をその周方向にがたつかないように保持することが可能である。更に、凸部収容溝３２の幅がこの溝の開放端に向けて次第に狭くなっているので、リング部材２１に取付けられた文字板３１がその凸部収容溝３２を結ぶ径方向に動こうとしても、その移動方向と反対側に位置されている係合凸部２５とこれが収められている凸部収容溝３２において、係合凸部２５がストッパとして機能し、係合凸部２５とこれを挟んだ挟み部３３との密接が強められる。これとともに、凸部収容溝３２の溝底面３２ａに係合凸部２５のビード２７が接していることで、リング部材２１に取付けられた文字板３１がその凸部収容溝３２を結ぶ径方向に移動しようとしても、係合凸部２５をストッパとして抑制できる。したがって、文字板３１がその凸部収容溝３２を径方向にがたつかないように保持することが可能である。
【００６１】
尚、この保持状態では、図３に示されるように斜めの挟み部３３とこれに対向した係合凸部２５の側面と間に、挟み部３３の先端部と接触部位２５ａとの接触箇所を起点として、凸部収容溝３２の溝底面３２ａに向けて次第に広がる隙間が形成されている。
【００６２】
既述のように文字板３１の挟み部３３が長いことと相まって、この挟み部を凸部収容溝３２との間に挟みように文字板３１に設けられた逃げ溝３４によって、弾性変形がより容易である。このため、係合凸部２５を挟んだ挟み部３３によって、リング部材２１に取付けられた文字板３１にこれをうねるように変形させる程の過大な反力を与えられることが抑制され、そのような力は、挟み部３３が逃げ溝３４を狭めるように弾性変形することで吸収される。したがって、凸部収容溝３２を起点として透明な文字板３１がうねった状態となった場合の不具合、つまり、文字板３１の各部での光の反射が異なって、文字板３１がうねった状態が容易に視認可能となり、腕時計１の体裁が損なわれる、という不具合が生じないようにできる。
【００６３】
又、既述のように係合凸部２５にストッパ機能があることで、挟み部３３が係合凸部２５の接触部位２５ａに密接する力を小さくすることが可能である、これにより、文字板３１をリング部材２１に取付ける際における挟み部３３の弾性変形がより容易となる結果、文字板３１の取付け作業をより容易に行うことが可能である。
【００６４】
以上のように取付けられた文字板３１は、図１に示したようにカバーガラス７の裏面に対向され、かつ、この文字板３１の周部は前記見切り４ｂで覆われている。文字板３１は透明であるので、カバーガラス７及び文字板３１を透過した自然光又は人工光が太陽電池パネル１５に入射されるに伴い、この太陽電池パネル１５のソーラーセルは光電変換して発電する。したがって、この腕時計１は、以上のように発電された電力を二次電池やキャパシタに蓄えて、その電力でムーブメント１１を駆動することができる。
【００６５】
又、リング部材２１に取付けられた文字板３１の凸部収容溝３２の周部は、リング部材２１の上面２１ａに接して凹み２３を覆っているが、この凹み２３は図４に示すようにリング部材２１の外周面に開放されている。そのため、文字板３１の取付けが不良で、文字板３１の組み直しを行う際やメンテナンスにおいて、文字板３１をリング部材２１から外す場合、文字板３１を外すためのピンセット等の工具（図示しない）を、リング部材２１の外側から凹み２３の第１の凹み部位２３ａ又は第２の凹み部位２３ｂ、若しくはこれらの双方に、容易に挿入できる。
【００６６】
それにより、工具を文字板３１の裏側に配置した上で、リング部材２１の係合凸部２５に係合されている文字板３１を、工具でこじ上げて外すことができる。加えて、このこじ上げる操作を、係合凸部２５の近傍位置で行うことができる。しかも、既述のように斜めの挟み部３３はその全長が長く、加えて逃げ溝３４が文字板３１に設けられていることで、文字板３１をリングに材２１に取付けるときと同様に挟み部３３の弾性変形が容易であるので、前記こじ上げる操作に過大な操作力を要しない。よって、文字板３１を容易に外すことができる。
【００６７】
又、既述のようにリング部材２１に設けた凹み２３の底から係合凸部２５が上向きに突設されて、各係合凸部２５の根元部はリング部材２１の上面２１ａより下側に位置されているため、各係合凸部２５の全長が凹み２３の深さに応じて長い。これにより、係合凸部２５がその根元部を支点に曲げられることがあっても、その弾性変形が比較的容易であり、その際に係合凸部２５の根元部にそこへの応力集中を原因とするクラックが発生する恐れがない。
【００６８】
しかも、係合凸部２５の根元部は、凹み２３の底に向けて次第に太く形成されていて、凹み２３の底と根元部の周面は、これらの間に角を形成することなく連続しているとともに、係合凸部２５の根元部より上側部位と根元部の周面も、それらの間に角を形成することなく連続している。このため、根元部に応力が集中し難いことに伴い、腕時計１に加わる振動等の外力によって係合凸部２５の根元部にクラックを生じる恐れが低減されて、リング部材２１への文字板３１の所定の取付け状態を確実に維持することができる。
【００６９】
図７及び図８は本発明の第２実施形態を示している。この第２実施形態に係る腕時計は、以下説明する構成以外は図７及び図８に示されていない構成を含めて第１実施形態と同じである。そのため、第１実施形態と同じ構成については第１実施形態と同じ符号を付して、その説明を省略する。
【００７０】
第２実施形態では、リング部材２１の平面視略四角形の係合凸部２５が、その上端に開放される内空部を有することなく中実に形成されている。
【００７１】
これ以外の構成は図７及び図８に示されていない構成を含めて第１実施形態と同じである。そのため、第２実施形態では、第１実施形態で既に説明したのと同じ理由によって、第１実施形態と同じ作用を得て、本発明の課題を解決できる。即ち、リング部材２１に対する文字板３１の取付け作業及び文字板３１の組み直し作業が容易であるとともに、表示板である文字板３１の組み直しに伴う文字板３１の取付け不良を抑制可能な腕時計を提供できる。
【００７２】
しかも、第２実施形態では、係合凸部２５が中実であるので、文字板３１が着脱される際に係合凸部２５の変形が起こり難いことに伴い、文字板３１の組み直しに伴う文字板３１の取付け不良を生じることを抑制可能である。加えて、係合凸部２５の構成が単純であるに伴い、リング部材２１を成形する成形型の構造も単純化するので、型費の低減に伴うコストダウンを期待することが可能である。
【００７３】
図９及び図１０は本発明の第３実施形態を示している。この第３実施形態に係る腕時計は、以下説明する構成以外は図９及び図１０に示されていない構成を含めて第１実施形態と同じである。そのため、第１実施形態と同じ構成については第１実施形態と同じ符号を付して、その説明を省略する。
【００７４】
第３実施形態では、係合凸部２５が、凸部収容溝３２の溝底面３２ａに対向された壁部２５ｃと、この壁部２５ｃの幅方向両端部から夫々凸部収容溝３２の開放端に向けて折れ曲がるように設けられて相対向した他の壁部２５ｄとを有していて、平面視略コの字形、言い換えれば、溝形に形成されている。これら他の壁部２５ｄの前記開放端側の端部に接触部位２５ａが設けられているとともに、これらの接触部位２５ａは、前記端部外面に一体に形成されて上下方向にも乗るビードにより形成されている。
【００７５】
以上説明した以外の構成は図９及び図１０に示されていない構成を含めて第１実施形態と同じである。そのため、第３実施形態では、第１実施形態で既に説明したのと同じ理由によって、第１実施形態と同じ作用を得て、本発明の課題を解決できる。即ち、リング部材２１に対する文字板３１の取付け作業及び文字板３１の組み直し作業が容易であるとともに、表示板である文字板３１の組み直しに伴う文字板３１の取付け不良を抑制可能な腕時計を提供できる。
【００７６】
しかも、第３実施形態では、挟み部３３の弾性変形に加えて、係合凸部２５の接触部位２５ａが設けられた他の壁部２５ｄは、互に近付く方向に倒れるように撓む（弾性変形する）ことが可能である。このため、文字板３１が着脱される際に、文字板３１の挟み部３３が主に弾性変形するだけではなく、他の壁部２５ｄも弾性変形するに伴い、文字板３１の着脱作業をより容易に行うことが可能である。
【００７７】
これとともに、他の壁部２５ｄが弾性変形可能であることにより、リング部材２１と文字板３１との硬さが異なるにも拘らず、係合凸部２５の接触部位２５ａが挟み部３３で削られ難くなる。そのため、接触部位２５ａが削られた場合のように挟み部３３が係合凸部２５を挟み力が低減され難いので、文字板３１をリング部材２１に対してがたつかないように保持する上で好ましい。
【００７８】
更に、接触部位２５ａをビードにより形成した構成により、傾斜された挟み部３３との接触箇所が、挟み部３３の先端から少し根元側にずれるので、二つの凸部収容溝３２を結ぶ文字板３１の径方向に文字板３１が動こうとしたときに発揮される係合凸部２５のストッパ機能の信頼性を高めることが可能である。尚、接触部位２５ａをビードにより形成する構成は、第１、第２の実施形態、及び次に説明する第４の実施形態にも適用可能である。
【００７９】
図１１及び図１２は本発明の第４実施形態を示している。この第４実施形態に係る腕時計は、以下説明する構成以外は図１１及び図１２に示されていない構成を含めて第３実施形態と同じである。そのため、第１実施形態と同じ構成については第１実施形態と同じ符号を付して、その説明を省略する。
【００８０】
第４実施形態では、リング部材２１の係合凸部２５が、凸部収容溝３２の溝底面３２ａと平行で、かつ、リング部材２１の径方向に弾性変形が可能な板状壁で形成されている。この係合凸部２５の幅方向両端部は接触部位２５ａである。更に、リング部材２１には、板状壁からなる係合凸部２５とこれが収容された凸部収容溝３２の溝底面３２ａとの間に上向きの規制凸部３５が設けられている。規制凸部３５はリング部材２１の径方向に弾性変形が可能である。この規制凸部３５は凸部収容溝３２の溝底面３２ａに接するビードからなる接触部３５ａを有している。接触部３５ａは第１実施形態で説明したビード２７と同様な機能を得るために設けられている。
【００８１】
以上説明した以外の構成は図１１及び図１２に示されていない構成を含めて第１実施形態と同じである。そのため、第４実施形態では、第１実施形態で既に説明したのと同じ理由によって、第１実施形態と同じ作用を得て、本発明の課題を解決できる。即ち、リング部材２１に対する文字板３１の取付け作業及び文字板３１の組み直し作業が容易であるとともに、文字板３１の組み直しに伴う文字板３１の取付け不良を抑制可能な腕時計を提供できる。
【００８２】
しかも、第４実施形態では、文字板３１が着脱される際、挟み部３３の弾性変形に加えて、係合凸部２５がリング部材２１の径方向に弾性変形することが可能であるので、文字板３１の着脱作業をより容易に行うことが可能である。これとともに、係合凸部２５の弾性変形が可能であることにより、リング部材２１と文字板３１との硬さが異なるにも拘らず、係合凸部２５の接触部位２５ａが挟み部３３で削られ難くなる。そのため、接触部位２５ａが削られた場合のように挟み部３３が係合凸部２５を挟み力が低減されないので、文字板３１をリング部材２１に対してがたつかないように保持する上で好ましい。又、係合凸部２５の構成が板状で単純であるので、リング部材２１を成形する成形型の型費の低減に伴うコストダウンを期待することが可能である。
【００８３】
なお、本発明は前記各実施形態には制約されない。例えば、前記各実施形態において太陽電池パネルに代えて発光パネルを用いることが可能である。発光パネルには、例えばエレクトロルミネッセンスからなるパネルを好適に使用でき、この発光パネルは、時計外装組立に内蔵された二次電池等から供給される電力で発光される。こうして実施する場合には、発光パネルがそれへの通電で発光して、この発光パネルで表示板に対するバックライト照明ができるため、時刻等の表示の視認性をより向上できる。又、本発明は、腕時計以外に懐中時計等にも適用できる。
【符号の説明】
【００８４】
１…腕時計（時計）
１１…ムーブメント（モジュール）
１５…太陽電池パネル（パネル）
２１…リング部材
２５…係合凸部
２５ａ…接触部位
２５ｃ…壁部
２５ｄ…他の壁部
２６…内空部
３１…文字板（表示板）
３２…凸部収容溝
３２ａ…凸部収容溝の溝底面
３３…挟み部
３４…逃げ溝
３５…規制凸部
【図１】
0005623314.tif 000002
【図２】
0005623314.tif 000003
【図３】
0005623314.tif 000004
【図４】
0005623314.tif 000005
【図５】
0005623314.tif 000006
【図６】
0005623314.tif 000007
【図７】
0005623314.tif 000008
【図８】
0005623314.tif 000009
【図９】
0005623314.tif 000010
【図１０】
0005623314.tif 000011
【図１１】
0005623314.tif 000012
【図１２】
0005623314.tif 000013